(57)【要約】【課題】  バッテリ収納室に収納されたバッテリの移動をより確実に規制できるようにする。【解決手段】  バッテリ収納室3に収納されたバッテリ2よりも搬出入口4寄りに位置する係合部位7a,7bに、上下方向へ係脱可能に取り付けられ、係合部位7a,7bに係合されてバッテリ2の搬出入口4側への横移動を阻止する横移動ストッパ6と、横移動ストッパ6よりも外側から搬出入口4を覆い、且つ、バッテリ収納室3に対し相対的に移動不能とされる閉位置と、搬出入口4が全面的に開放される開位置とにわたって開閉可能に取り付けられるカバー11と、カバー11が閉位置にあるときにバッテリ収納室3内に向くように設けられ、横移動ストッパ6に当接して横移動ストッパ6の上下方向への縦移動を阻止する縦移動ストッパ12とを備える。【選択図】  図２
2005075061.tif 000002
【特許請求の範囲】
【請求項１】
車体フレームに設けられ、側方へ向けて開口された搬出入口を備えるバッテリ収納室に、上記搬出入口から出し入れされるバッテリの上記バッテリ収納室内での移動を規制する産業車両のバッテリストッパ装置において、
上記バッテリ収納室の、収納された上記バッテリよりも上記搬出入口寄りに位置する係合部位に、上下方向へ係脱可能に取り付けられ、上記係合部位に係合されて上記バッテリの上記搬出入口側への横移動を阻止する横移動ストッパと、
上記係合部位に係合された上記横移動ストッパよりも外側から上記搬出入口を覆い、且つ、上記バッテリ収納室に対し相対的に移動不能とされる閉位置と、上記搬出入口が全面的に開放される開位置とにわたって開閉可能に取り付けられるカバーと、
該カバーが上記閉位置にあるときに上記バッテリ収納室内に向くよう該カバーに設けられ、上記横移動ストッパに当接して該横移動ストッパの上下方向への縦移動を阻止する縦移動ストッパとを備えることを特徴とする産業車両のバッテリストッパ装置。
【請求項２】
上記横移動ストッパは、上記バッテリ収納室の床部材に形成された係合部位に上方から係合されるものであり、
上記縦移動ストッパは、上記カバーが上記閉位置にあるときに、上記係合部位に係合された上記横移動ストッパよりも上方で上記バッテリ収納室内に向けて突出するように設けられることを特徴とする請求項１に記載の産業車両のバッテリストッパ装置。
【発明の詳細な説明】
【技術分野】
【０００１】
本発明は、バッテリが搭載される産業車両のバッテリストッパ装置に関する。
【背景技術】
【０００２】
産業車両の中には、電気機器用の電源としてバッテリが搭載されるものがあり、この種の産業車両では、例えば車体フレームにバッテリを収納するためのバッテリ収納室が設けられている。さて、産業車両の走行中には振動や慣性力などがバッテリに作用するため、バッテリがバッテリ収納室内で移動してしまうことが考えられる。そこで、バッテリ収納室に収納されたバッテリの移動を規制するために、バッテリストッパ装置が用いられる。
【０００３】
従来、バッテリストッパ装置としては、例えば次掲の特許文献に記載されているように、バッテリの搬出入口側に設けた係止部材を上下動させてバッテリ収納室に設けた被係止部材に係止させることで、バッテリの搬出入口側への移動を規制するものが採用されている。
【特許文献１】実開昭６３−７０６６０号公報
【特許文献２】実開平３−７１９２６号公報
【発明の開示】
【発明が解決しようとする課題】
【０００４】
しかしながら、係止部材を上下動させる構造のバッテリストッパ装置では、路面の段差等により車体フレームが上下方向に振動すると、係止部材が上方に跳ね上がって被係止部材から離脱し、バッテリの移動を規制できなくなってしまうことが考えられる。特に、バッテリ収納室内にバッテリの出し入れを容易にするためのローラが設けられている場合には、比較的小さな力でバッテリを移動させることができるため、バッテリの移動を規制できなくなると、バッテリが大きく移動してしまうことに繋がりかねない。
【０００５】
本発明は、このような事情に基づいて提案されたものであって、バッテリ収納室に収納されたバッテリの移動をより確実に規制できるようにすることを目的とする。
【課題を解決するための手段】
【０００６】
上記目的を達成するために、本発明は、車体フレームに設けられ、側方へ向けて開口された搬出入口を備えるバッテリ収納室に、上記搬出入口から出し入れされるバッテリの上記バッテリ収納室内での移動を規制する産業車両のバッテリストッパ装置において、上記バッテリ収納室の、収納された上記バッテリよりも上記搬出入口寄りに位置する係合部位に、上下方向へ係脱可能に取り付けられ、上記係合部位に係合されて上記バッテリの上記搬出入口側への横移動を阻止する横移動ストッパと、上記係合部位に係合された上記横移動ストッパよりも外側から上記搬出入口を覆い、且つ、上記バッテリ収納室に対し相対的に移動不能とされる閉位置と、上記搬出入口が全面的に開放される開位置とにわたって開閉可能に取り付けられるカバーと、該カバーが上記閉位置にあるときに上記バッテリ収納室内に向くよう該カバーに設けられ、上記横移動ストッパに当接して該横移動ストッパの上下方向への縦移動を阻止する縦移動ストッパとを備える構成としている。
【０００７】
この構成によれば、バッテリの横移動は係合部位に係合された横移動ストッパにより阻止され、横移動ストッパの上下方向への縦移動は、カバーを開位置としてバッテリ収納室内に向けられた縦移動ストッパにより阻止される。従って、例えば車体フレームが上下方向に振動したとしても横移動ストッパが係合部位から離脱することがなく、確実にバッテリの搬出入口側への横移動を阻止することができる。なお、カバーを開位置としたときには横移動ストッパの上下方向への縦移動は阻止されないので、横移動ストッパを係合部位から離脱させることができ、また、搬出入口が全面的に開放されるので、搬出入口からバッテリ収納室内外へバッテリを出し入れして、バッテリの交換やメンテナンスを行うことができる。
【０００８】
本発明においては、上記横移動ストッパを、上記バッテリ収納室の床部材に形成された係合部位に上方から係合されるものとし、上記縦移動ストッパが、上記カバーが上記閉位置にあるときに、上記係合部位に係合された上記横移動ストッパよりも上方で上記バッテリ収納室内に向けて突出するように設けられる構成とすることができる。
【０００９】
このようにすれば、横移動ストッパが上方へ縦移動して係合部位から離脱しようとしても、横移動ストッパの上方にある縦移動ストッパに当接した時点でその縦移動が阻止されるので、縦移動ストッパが係合部位から離脱することを防止することができる。なお、係合部位は、例えば、バッテリ収納室の床部材に上下方向へ穿設された係合孔とすることができ、横移動ストッパが該係合孔に上方から挿入されて係合されるようにすることができる。
【発明の効果】
【００１０】
本発明によれば、横移動ストッパを係合部位に係合すると、この横移動ストッパによりバッテリの搬出入口側への横移動が阻止され、更に、カバーを開位置すると、縦移動ストッパにより横移動ストッパが係合部位から離脱することが防止されるので、確実にバッテリの搬出入口側への横移動を阻止することができる。
【発明を実施するための最良の形態】
【００１１】
以下、本発明をバッテリが車幅方向へ水平に出し入れされるバッテリ式フォークリフトに適用した実施の形態を、図面にしたがって詳細に説明する。
【００１２】
図１に示すように、本実施の形態に係るバッテリ式フォークリフトは（以下、単にフォークリフトという）は、車体フレーム１の、運転座席よりも下方位置にバッテリ２を収納するためのバッテリ収納室３が形成されており、バッテリ収納室３は右側方に向けて開口され、この開口部分が搬出入口４とされている。そして、搬出入口４からバッテリ収納室３内外に、バッテリ２がフォークリフトの車幅方向、つまり左右方向へ水平に出し入れされるようになっている。また、図２に示すように、バッテリ収納室３の床部材には、フォークリフトの前後方向に軸支され、バッテリ２を出し入れする方向に自由に回動するローラ５が設けられており、重量物であるバッテリ２の出し入れを容易に行うことができるようになっている。
【００１３】
更に、図２及び図３に示すように、バッテリ収納室３の床部材には、バッテリ収納室３に収納されたバッテリ２よりも搬出入口４寄りの位置に、上下方向へ所定の深さＤで穿設された有底の係合孔７ａ、７ｂが設けられており、この係合孔７ａ、７ｂに横移動ストッパ６が係合される。横移動ストッパ６は、側面視で略コ字状に形成された係合部材と、この係合部材のバッテリ２側に固定された当接部材とからなっており、係合部材の両端部８ａ、８ｂ（以下、係合端部８ａ、８ｂという）が係合孔７ａ、７ｂにそれぞれ上方から挿入されて係合される。ここで、係合孔７ａ、７ｂの径は、係合端部８ａ、８ｂの径よりも若干大きくされており、係合端部８ａ、８ｂを係合孔７ａ、７ｂに抜き挿しできるようになされている。つまり、横移動ストッパ６は、係合端部８ａ、８ｂを係合孔７ａ、７ｂに上方から挿入して係合させ、係合端部８ａ、８ｂを係合孔７ａ、７ｂから上方へ抜出して離脱させることができる。
【００１４】
係合孔７ａ、７ｂに横移動ストッパ６を係合させると、フォークリフトの走行中にバッテリ２に搬出入口４方向の慣性力が作用しバッテリ２が横移動したとしても、バッテリ２が横移動ストッパ６の当接部材に接触した時点で、その横移動が阻止される。なお、横移動ストッパ６の材質は、バッテリ２が横移動ストッパ６に当接した際に、バッテリ２から加わる横方向の負荷に耐え得るものであればよく、また必要に応じて、図３に示すように、当接部材のバッテリ２側表面に、ゴムや発泡材等からなる緩衝部材９を設けてもよい。
【００１５】
一方、車体フレーム１の右側部には、開閉可能なカバー１１が設けられている。このカバー１１の一端部は、搬出入口４の前縁よりも前方で車体フレーム１に固定された上下方向の軸心を有するヒンジ１０に固定されており、カバー１１がヒンジ１０の軸心周りに水平に旋回させて開閉されるようになっている。
【００１６】
カバー１１を後方へ旋回させていくと、カバー１１が横移動ストッパ６よりも外側から搬出入口４の下半部を覆う状態となり、ここでカバー１１の他端部（ヒンジ１０に固定される端部とは反対側の端部）が車体フレーム１に固定されたロック装置（図示せず）によりロックされてカバー１１が旋回不能となり、カバー１１が車体フレーム１に対し全く移動不能とされる。このときのカバー１１の位置が、本発明における閉位置である。また、バッテリ収納室３は車体フレーム１の一部であり、当然バッテリ収納室３は車体フレーム１に対し移動不能であることから、閉位置でカバー１１がロックされると、カバー１１はバッテリ収納室３に対しても移動不能となる。ロック装置によるロックを解除し、閉位置からカバー１１を前方へ旋回させていくと、搬出入口４の下半部がカバー１１により覆われなくなり、搬出入口４が右側方へ全面的に開放される状態となる。このときのカバー１１の位置が、本発明における開位置である。
【００１７】
カバー１１の一側面には縦移動ストッパ１２が突設されており、縦移動ストッパ１２は、カバー１１を閉位置としたときに、係合孔７ａ、７ｂに係合された横移動ストッパ６よりも上方でバッテリ収納室３内に向けて突出するように設けられている。図３に示すように、カバー１１を閉位置としたときに、縦移動ストッパ１２の下端から横移動ストッパ６の上端までの距離Ｌが、係合孔７ａ（７ｂ）の上端から係合孔７ａ（７ｂ）に挿入されている係合端部８ａ（８ｂ）の下端までの距離（図示の状態では係合孔７ａの深さＤに等しい）よりも小さくなるように縦移動ストッパ１２は配置されており、この縦移動ストッパ１２の下面に横移動ストッパ６の上端が当接するようになされている。
【００１８】
すなわち、カバー１１を閉位置でロックさせた状態で、係合孔７ａ、７ｂに係合された横移動ストッパ６を上方へ縦移動させようとすると、カバー１１及びこれに設けられた縦移動ストッパ１２は上下に移動不能であるから、縦移動ストッパ１２の下面に横移動ストッパ６の上端が当接するまで縦移動した時点で、その縦移動が阻止される。このとき、係合孔７ａ（７ｂ）には、深さＤから距離Ｌを差し引いた長さ分だけ係合端部８ａ（８ｂ）が依然として挿入されており、横移動ストッパ６が係合孔７ａ、７ｂに係合された状態が保たれる。
【００１９】
従って、横移動ストッパ６を係合孔７ａ、７ｂに係合させ、カバー１１を閉位置でロック装置によりロックさせれば、車体フレーム１が上下方向に振動し横移動ストッパ６が縦移動したとしても、横移動ストッパ６が係合孔７ａ、７ｂから離脱することなく係合孔７ａ、７ｂに係合された状態が保つことができるので、横移動ストッパ６によりバッテリ２の横移動を確実に阻止することができる。
【００２０】
一方、カバー１１が開位置にある状態では、係合孔７ａ、７ｂに係合された横移動ストッパ６を上方へ縦移動させても、その縦移動が阻止されることはないので、深さＤの分以上に横移動ストッパ６を上方へ縦移動させることができ、このようにして横移動ストッパ６を係合孔７ａ、７ｂから離脱させることができる。
【００２１】
従って、ロックを解除してカバー１１を開位置とすることにより搬出入口４を開放すると共に、横移動ストッパ６を上方に縦移動させて係合孔７ａ、７ｂから離脱させれば、搬出入口４からバッテリ２を出し入れできる状態となる。
【００２２】
なお、上記の実施の形態では、バッテリ収納室３を右側方へ開口させて搬出入口４を設けた構成を説明したが、バッテリ収納室３の他の側方に搬出入口を設け、この搬出入口にバッテリストッパ装置を備える構成としても良いことは勿論である。さらに、上記の実施の形態では、水平に旋回させて開閉されるカバー１１を備えた構成について説明したが、カバーの開閉方向は上下方向など他の方向であってもよく、また、カバーは車体フレーム１から分離されて開位置とされるものであってもよい。
【図面の簡単な説明】
【００２３】
【図１】本発明を適用したバッテリ式フォークリフトの概略側面図。
【図２】バッテリ収納室の要部斜視図。
【図３】図１のＡ−Ａ断面図。
【符号の説明】
【００２４】
１  車体フレーム
２  バッテリ
３  バッテリ収納室
４  搬出入口
６  横移動ストッパ
７ａ、７ｂ  係合孔
８ａ、８ｂ  係合端部
１１  カバー
１２  縦移動ストッパ
【図１】
2005075061.tif 000003
【図２】
2005075061.tif 000004
【図３】
2005075061.tif 000005